(57)【要約】【課題】ベースに対してスライダーをスライドさせて出し入れするスライド構造において，スライダーの引き出し位置の設定，ならびに設定位置の保持が簡単，確実に行われ，かつ不意なスライドを防ぐことが出来る新規なスライド構造を小型，軽量，低コストで実現する。【解決手段】スライダーのスライド方向に帯状のＮ極とＳ極が交互に所定間隔で配列された第一のマグネットシートをベースに貼着するとともに，第一のマグネットシートと同一の着磁ピッチを有する第二のマグネットシートを，第一のマグネットシートと同一の着磁方向で，着磁面が相互に向き合い，近接した位置関係でスライドするようにスライダーに貼着することによって，スライダーをスライドさせた場合に，スライダーをマグネットシートの着磁ピッチで一時的に停止，保持できるとともに，不意なスライドを防ぐことが出来る小型，軽量，低コストな間欠スライド構造。【選択図】図１
0003130120.tif 000002
【実用新案登録請求の範囲】
【請求項１】
ベースに対してスライダーをスライドさせて出し入れするスライド構造において，ベースのスライド面の所定位置に所定サイズで，スライダーのスライド方向に帯状のＮ極とＳ極が交互に所定ピッチで配列された第一のマグネットシートを貼着するとともに，スライダーのスライド面の所定位置に所定サイズで，第一のマグネットシートと同一の着磁ピッチを有する第二のマグネットシートを，第一のマグネットシートと同一の着磁方向で，着磁面が相互に向き合い，近接した位置関係でスライドするように貼着することによって，スライダーをスライドさせた場合，第一と第二のマグネットシートの重なり部でスライダーをマグネットシートの着磁ピッチで一時的に停止，保持できるとともに，不意なスライドを防ぐことが出来る小型，軽量，低コストな間欠スライド構造。
【考案の詳細な説明】
【技術分野】
【０００１】スライダーのスライド方向に帯状のＮ極とＳ極が交互に所定間隔で配列された第一のマグネットシートをベースに貼着するとともに，第一のマグネットシートと同一の着磁ピッチを有する第二のマグネットシートを，第一のマグネットシートと同一の着磁方向で，着磁面が相互に向き合い，近接した位置関係でスライドするようにスライダーに貼着することによって，スライダーをスライドさせた場合に，第一と第二のマグネットシートの重なり部でスライダーをマグネットシートの着磁ピッチで一時的な停止，保持ができるとともに，不意なスライドを防ぐことが出来る間欠スライド構造に関する。
【背景技術】
【０００２】プリンター，コピーのような機器における用紙受け皿は，不使用時に装置内部に収納し，使用時に引き出して用紙を受けるスライド構造となっているが，一般的には所要寸法に引き出してセットした状態で使用する場合が殆どである。しかし，現状の用紙受け皿の構造に関しては，引き出し位置の設定や設定位置の保持などに関して難があり，所要の引き出し寸法にセットし難いとともに，セットした状態で人の身体に触れると簡単に引っ込んでしまうなど，種々欠点を有しているが，かかる問題を解決するためには，機構構造的に大型となりコスト高となるなどの課題を抱えている。
【考案が解決しようとする課題】
【０００３】ベースに対してスライダーをスライドさせて出し入れするスライド構造において，スライダーの引き出し位置の設定，ならびに設定位置の保持が簡単，確実に行われ，かつ不意な飛び出し，引っ込みを防ぐことが出来る新規なスライド構造を小型，軽量，低コストで実現する。
【課題を解決するための手段】
【０００４】スライダーのスライド方向に帯状のＮ極とＳ極が交互に所定間隔で配列された第一のマグネットシートをベースに貼着するとともに，第一のマグネットシートと同一の着磁ピッチを有する第二のマグネットシートを，第一のマグネットシートと同一の着磁方向で，かつ近接した位置関係でスライドするようにスライダーに貼着することによって，スライダーをスライドさせた場合に，第一と第二のマグネットシートの重なり部でスライダーをマグネットシートの着磁ピッチで一時的に停止，保持できるとともに，不意なスライドを防ぐことが出来る小型，軽量，低コストな間欠スライド構造。
【考案の効果】
【０００５】ベースに対してスライダーをスライドさせて出し入れするスライド構造において，スライダーの引き出し位置の設定，ならびに設定位置の保持が簡単，確実に行われ，かつ不意な飛び出し，引っ込みを防ぐことが出来る新規なスライド構造を薄いマグネットシートで実現するため小型，軽量，低コストで実現できる。
【考案を実施するための最良の形態】
【０００６】図２は一般的なプリンターの概観図を示し，６は用紙受け皿を示す。図１は本考案の一実施例を示すプリンターの用紙受け皿におけるスライド構造を示す概観斜視図である。用紙受け皿はベース１に対してスライダー２をスライドして出し入れして，用紙サイズに合わせて適切な引き出し位置設定を行うスライド構造で構成されているが，一般的には，ベース１とスライダー２との隙間でスライドさせる構造であるため，引き出し位置の設定や設定位置の保持などに関して難があり，所要の寸法にセットし難いとともに，セットした状態で人の身体に触れると簡単に押し込まれてしまうなど，種々欠点を有しているが，かかる問題を解決するためには，機構構造的にかなりのサイズ，コストが必要となるなどの課題を抱えていた。【０００７】３はベース１に貼着した第一のマグネットシートであり，４はスライダー２に貼着した第二のマグネットシートである。第一のマグネットシートはスライド方向５に帯状のＮ極とＳ極が交互に所定間隔で配列されており，第二のマグネットシートは，第一のマグネットシートと同一の着磁方向で，着磁面が相互に向き合い，近接した位置関係でスライドするようにスライダーに貼着されるため，スライダーをスライドさせた場合に，第一と第二のマグネットシートの重なり部でスライダーをマグネットシートの着磁ピッチで一時的な止，保持ができるとともに，不意なスライドを防ぐことが出来る。【０００８】図３はマグネットシートにおける着磁配列状態を示す概念図であり，Ｎ極とＳ極が交互に所定のピッチで配列されており，７はマグネットシートのスライド方向を示している。着磁配列のピッチは，３ｍｍ，５ｍｍ，７ｍｍなど多様であり，間欠スライドのピッチを決定するため，使用目的に適合したものを選定して使用する。【０００９】図１では，同一の着磁ピッチ，着磁方向で，着磁面が相互に向き合い，近接し重なった位置関係でスライドするように，マグネットシートがベース１ならびにスライダー２に貼着されているため，スライダーをスライドさせた場合は，第一のマグネットシート３と第二のマグネットシート４のＮ，Ｓの異極が相互に吸着し，同極は反発するため，着磁ピッチ単位で間欠的にスライドして一時停止，保持する。このために，スライダーの引出し設定を着磁単位で小刻みに出来るともに，不意なスライドを防ぐことが出来る。
【実施例】
【００１０】第一のマグネットシート，ならびに第二のマグネットシートは０，６ｍｍ厚で着磁ピッチが５ｍｍの着磁シートを用い，マグネットシートのベースならびにスライダーへの貼着は両面接着テープを使用した。プリンターの用紙受け皿を実施例としたが，用紙受け皿に限定されることは無く，本考案はスライド構造に対して広範に適用可能である。【００１１】例えば，引き出しを引き出し過ぎて筐体から脱落して引き出しの中身をばら撒く失敗を防止する実施例が図４に示される。８は筐体（ベース），９は引き出し（スライダー），１０は第一のマグネットシート，１１は第二のマグネットシートであり，マグネットシートは引き出しの後端部ならびに筐体の入り口部に短サイズで貼着されている。引き出しが後端部近傍まで引き出されてマグネットシートが重なり合う位置では，間欠スライド状態となり，後端近傍であることが認識されるとともに，磁力によってスライドが規制される。【００１２】また，小物入れ用の引き出しなどにおいて，内部が細部に仕切られている場合などは，引き出しを止めたい位置近傍で間欠スライド状態となるようにマグネットシートを必要部分に所定のサイズで貼着することにより，引き出しは仕切り位置ごとに間欠スライド状態となり，小物の挿入，取出しが容易となるなど多様な利用形態が考えられる。実施例ではマグネットシートはベース，ならびにスライダーの上面，下面に貼着したが，側面に貼着しても良いなど，本考案の登録請求の範囲を逸脱しない範囲で種々変形実施が可能である。
【図面の簡単な説明】
【００１３】
【図１】本考案の一実施例を示す用紙受け皿の構造概観斜視図
【図２】プリンターの構造概観斜視図
【図３】マグネットシートにおける着磁配列を示す概念図
【図４】本考案の一実施例を示す引き出しの構造概観斜視図
【符号の説明】
１  ベース
２  スライダー
３  第一のマグネットシート
４  第二のマグネットシート
５  スライダーのスライド方向
６  プリンターの用紙受け皿
７  マグネットシートのスライド方向
８  筐体
９  引き出し
１０  第一のマグネットシート
１１  第二のマグネットシート
【図１】
0003130120.tif 000003
【図２】
0003130120.tif 000004
【図３】
0003130120.tif 000005
【図４】
0003130120.tif 000006